(57)【要約】      （修正有）【課題】明るい環境下と暗い環境下での表記の見え方が異なっている時計を提供する。【解決手段】指針と、発光源と、発光源からの光を拡散するための光拡散処理が施された周辺部３２ｃ、周辺部３２ｃに囲まれており光拡散処理は施されておらず数字、文字、記号、図形、目盛、又は絵を表す表記部３４ｃ、を含み、指針の背面側に配置され発光源からの光が入射する導光板３ｃと、を備える。【選択図】図１０
2015152368.tif 000002
【特許請求の範囲】
【請求項１】
指針と、
発光源と、
前記発光源からの光を拡散するための光拡散処理が施された周辺部、前記周辺部に囲まれており前記光拡散処理は施されておらず数字、文字、記号、図形、目盛、又は絵を表す表記部、を含み、前記指針の背面側に配置され前記発光源からの光が入射する導光板と、を備えた時計。
【請求項２】
前記指針は、発光可能であり、
前記導光板は、前記表記部とは別に、少なくとも前記指針の移動軌跡に重なり前記光拡散処理は施されていない非処理部を含む、請求項１の時計。
【請求項３】
前記光拡散処理は、前記導光板の背面に複数のドットを印刷するドット印刷処理、又は前記導光板の背面に複数の凹凸を形成する凹凸加工処理である、請求項１又は２の時計。
【請求項４】
前記光拡散処理は、前記ドット印刷処理であり、
前記ドットの径は、前記発光源から離れるほど大きい、請求項３の時計。
【発明の詳細な説明】
【技術分野】
【０００１】
本発明は、時計に関する。
【背景技術】
【０００２】
特許文献１には、数字が表記された導光板を文字板として用いた時計が開示されている。暗い環境下では発光源が点灯して光が導光板に入射する。これにより暗い環境下でも導光板に表記された数字が視認できる。
【先行技術文献】
【特許文献】
【０００３】
【特許文献１】特開２００５−９１１０１号公報
【発明の概要】
【発明が解決しようとする課題】
【０００４】
しかしながら、この場合、明るい環境下と暗い環境とでは数字の見え方は同じである。
【０００５】
そこで本発明は、明るい環境下と暗い環境下での表記の見え方が異なっている時計を提供することを目的とする。
【課題を解決するための手段】
【０００６】
上記目的は、指針と、発光源と、前記発光源からの光を拡散するための光拡散処理が施された周辺部、前記周辺部に囲まれており前記光拡散処理は施されておらず数字、文字、記号、図形、目盛、又は絵を表す表記部、を含み、前記指針の背面側に配置され前記発光源からの光が入射する導光板と、を備えた時計によって達成できる。
【発明の効果】
【０００７】
明るい環境下と暗い環境下での表記の見え方が異なっている時計を提供できる。
【図面の簡単な説明】
【０００８】
【図１】図１Ａは、本実施例の時計の正面図であり、図１Ｂは、本実施例の時計の背面図である。
【図２】図２は、本実施例の時計の内部構成を示したブロック図である。
【図３】図３Ａは、図１ＢのＡ−Ａ断面図である。図３Ｂは、図３Ａの部分拡大図である。
【図４】図４Ａは、文字板ユニットの正面図であり、図４Ｂは、文字板ユニットの分解斜視図である。
【図５】図５Ａは、導光板にドットを印刷するためのドット印刷パターンの説明図であり、図５Ｂは、ドット印刷パターンの拡大図である。
【図６】図６Ａ、６Ｂは、それぞれ明るい環境下と暗い環境下での文字板ユニットでの数字の見え方の説明図である。
【図７】図７Ａ、７Ｂは、それぞれ明るい環境下と暗い環境下での第１変形例の文字板ユニットでの数字の見え方の説明図であり、図７Ｃ、７Ｄは、それぞれ明るい環境下と暗い環境下での第２変形例の文字板ユニットでの英字の見え方の説明図である。
【図８】図８Ａ、８Ｂは、それぞれ明るい環境下と暗い環境下での第３変形例の文字板ユニットでの数字の見え方の説明図であり、図８Ｃ、８Ｄは、それぞれ明るい環境下と暗い環境下での第４変形例の文字板ユニットでの図形の見え方の説明図である。
【図９】図９Ａ、９Ｂは、それぞれ明るい環境下と暗い環境下での第５変形例の文字板ユニットでの図形の見え方の説明図であり、図９Ｃ、９Ｄは、それぞれ明るい環境下と暗い環境下での第６変形例の文字板ユニットでの図形の見え方の説明図である。
【図１０】図１０Ａ、１０Ｂは、それぞれ明るい環境下と暗い環境下での第７変形例の文字板ユニットでの数字の見え方の説明図であり、図１０Ｃ、１０Ｄは、それぞれ明るい環境下と暗い環境下での第８変形例の文字板ユニットでの図形の見え方の説明図である。
【図１１】図１１は、第９変形例の文字板ユニットの説明図である。
【発明を実施するための形態】
【０００９】
図１Ａは、本実施例の時計Ａの正面図であり、図１Ｂは、時計Ａの背面図である。時計Ａは、壁掛け時計であるが、これに限定されず、置時計や目覚し時計、腕時計であってもよい。時計Ａは、フロントケースＦＣ及びリアケースＲＣ（以下、共にケースと称する）、文字板ユニットＤＵ、ガラスプレートＰ、時針ＨＨ、分針ＭＨ、秒針ＳＨ等を含む。文字板ユニットＤＵを正面側から見た場合、後述する光センサＯＳ用の孔１ｈが視認できる。ケースＦＣ、ＲＣは互いに固定されている。文字板ユニットＤＵは、ケースＦＣ、ＲＣ内に保持されている。ガラスプレートＰは、光透過性を有し、文字板ユニットＤＵよりも正面側でケースＦＣに保持されている。時針ＨＨ等の指針は、文字板ユニットＤＵとプレートＰとの間に配置されて回転する。光センサＯＳは、ケースＦＣ、ＲＣに保持されている。詳しくは後述する。ケースＲＣには、後述するバッテリＢの交換用のカバーＣＶが着脱可能に設けられている。
【００１０】
図２は、本実施例の時計Ａの内部構成を示したブロック図である。時計Ａは、制御部Ｃ、ＬＥＤＬ１〜Ｌ３、ムーブメントＭＭ、バッテリＢ等を含む。制御部Ｃは、プリント基板に形成された電子回路によって実現され、例えばＣＰＵ、ＲＡＭ、ＲＯＭ等により実現される。ムーブメントＭＭは、時針ＨＨ等の指針を回転駆動させる機構であり、複数のギア等から構成されて、バッテリＢから電力が供給されて駆動する。ＬＥＤＬ１〜Ｌ３もバッテリＢから電力が供給されて点灯する。光センサＯＳは、時計Ａ周囲の明るさを検知する。制御部Ｃは、光センサＯＳの検出信号に基づいてＬＥＤＬ１〜Ｌ３の点灯状態を切り替える。具体的には、時計Ａが明るい環境下にある場合には、制御部ＣはＬＥＤＬ１〜Ｌ３を消灯し、時計Ａが暗い環境下にある場合には、制御部ＣはＬＥＤＬ１〜Ｌ３を点灯する。尚、ＬＥＤＬ１〜Ｌ３の輝度は同じである。ＬＥＤＬ１〜Ｌ３は発光源の一例である。
【００１１】
図３Ａは、図１ＢのＡ−Ａ断面図である。図３Ｂは、図３Ａの部分拡大図である。図３Ａに示すように、ケースＦＣ、ＲＣ内には、プリント基板ＰＢが配置されている。プリント基板ＰＢに、制御部Ｃを実現するＲＯＭ等が実装されている。図３Ｂに示すように、ＬＥＤＬ１はプリント基板Ｐ１に実装されており、その他のＬＥＤＬ２、Ｌ３についても同様である。プリント基板Ｐ１、ＰＢは互いに電気的に接続されている。
【００１２】
図４Ａは、文字板ユニットＤＵの正面図であり、図４Ｂは、文字板ユニットＤＵの分解斜視図である。文字板ユニットＤＵは、略円形であり、背面側から正面側に順に重ねられているシート１、導光板３、フィルム５、光透過板７を含む。尚、シート１、導光板３、フィルム５、光透過板７の中心には、時針ＨＨ等の指針の回転軸を逃すための孔が設けられている。
【００１３】
シート１は、光透過性を有しておらず、紙、合成樹脂、又は金属製である。シート１には、光センサＯＳを露出する孔１ｈが形成されている。
【００１４】
導光板３は、光透過性を有した合成樹脂製である。導光板３の外周部には、ＬＥＤＬ１〜Ｌ３が１８０度毎に等角度間隔で配置されている。ＬＥＤＬ１〜Ｌ３は、導光板３の中心から等距離に配置されている。導光板３の外周部にはＬＥＤＬ１〜Ｌ３とそれぞれ対向する凹部３８１〜３８３が形成されている。ＬＥＤＬ１〜Ｌ３が点灯すると、３にはＬＥＤＬ１〜Ｌ３からの光が入射する。導光板３には、ＬＥＤＬ１〜Ｌ３から導光板３に入射した光を反射して導光板３の正面側に拡散する光拡散処理が部分的に施されている。詳しくは後述する。
【００１５】
フィルム５は、光透過性を有した合成樹脂製であり、拡散板として機能する。尚、文字板ユニットＤＵは、フィルム５を備えていなくてもよい。
【００１６】
光透過板７は、光透過性を有し、ガラス、又は合成樹脂製である。図４Ａ、４Ｂには示していないが、光透過板７には時刻を示すための１〜１２までの数字が印刷されている。
【００１７】
シート１、導光板３、フィルム５、光透過板７が重なって配置されることにより、これらは文字板として機能する。また、ＬＥＤＬ１〜Ｌ３から導光板３に入射した光は、導光板３の光拡散処理が施された部分で反射してフィルム５、光透過板７を透過する。これにより、時計Ａが暗い環境下にある場合には、文字板ユニットＤＵが発光する。
【００１８】
次に、導光板３に施された光拡散処理について説明する。導光板３の背面にはＬＥＤＬ１〜Ｌ３からの光を正面側に拡散するための光拡散処理、具体的には、導光板３の背面に複数のドットを印刷したドット印刷処理が施されている。これら複数のドットは、ＬＥＤＬ１〜Ｌ３から導光板３に入射した光を反射して導光板３の正面側に拡散する。これにより、導光板３の正面を発光させることができる。
【００１９】
図５Ａは、導光板３にドットを印刷するためのドット印刷パターンの説明図である。尚、実際には、図５Ａに示すように導光板３の面全体にドット印刷パターンが印刷されるわけではなく、このドット印刷パターンに従って、導光板３に部分的にドットが印刷されない領域が形成される。詳しくは後述する。
【００２０】
ドット印刷パターンは、領域３２Ａ１〜３２Ａ３、境界線３２Ｂ１〜３２Ｂ３に分けることができる。領域３２Ａ１〜３２Ａ３は、それぞれＬＥＤＬ１〜Ｌ３に対向し、それぞれ扇状である。ＬＥＤＬ１から導光板３に入射した光は、領域３２Ａ１で主に反射される。同様に、ＬＥＤＬ２、Ｌ３のそれぞれから導光板３に入射した光は、それぞれ領域３２Ａ２、３２Ａ３で主に反射される。領域３２Ａ１〜３２Ａ３は、それぞれ第１、第２、及び第３扇状領域の一例である。
【００２１】
導光板３に入射した光はドットで反射する。従って、ドットの径が大きいほど反射する光量が多い。このため、発光源からドットまでの距離が等しい場合、径の大きいドットの方が径の小さいドットよりも反射する光量が多くなる。また、導光板３に入射した光は、発光源から離れるほど減衰する。本実施例で採用されるドット印刷パターンでは、ＬＥＤＬ１〜Ｌ３に近いドットの径は比較的小さく、ＬＥＤＬ１〜Ｌ３から離れたドットの径は比較的大きい。例えば領域３２Ａ１内においても、ＬＥＤＬ１に近いドットの径は比較的小さくＬＥＤＬ１から離れたドットの径は比較的大きい。領域３２Ａ２、３２Ａ３についても同様である。従って、ＬＥＤＬ１〜Ｌ３に近い領域で反射する光量が多くなりすぎることを抑制し、ＬＥＤＬ１〜Ｌ３から離れた領域で反射する光量が少なくなりすぎることを抑制している。このように本実施形態では、光源からの距離に応じた光量に基づいてドットの径を調整することで、導光板３を略均一の光量で発光させている。
【００２２】
例えば、境界線３２Ｂ１は２つのＬＥＤＬ１、Ｌ２から略等距離に位置する。このため、境界線３２Ｂ１にはＬＥＤＬ１、Ｌ２の双方からの光が到達するが、境界線３２Ｂ１にまで到達する光は減衰している。本実施例の導光板３では、境界線３２Ｂ１でのドットの径は、境界線３２Ｂ１における光量に基づいてドットの径が決定される。これにより、境界線３２Ｂ１で反射する光量が小さくなることを抑制している。同様に、境界線３２Ｂ２、３２Ｂ３でのドットの径も、それぞれの領域における光量に基づいてドットの径が決定されている。これにより、導光板３を均一の光量で発光させることができる。
【００２３】
図５Ｂは、ドット印刷パターンの拡大図である。このドット印刷パターンでは、隣接する３つのドットが正三角形状となるように複数のドットの配列が設定されている。また、ＬＥＤＬ１〜Ｌ３は、導光板３の中心周りに等角度間隔で配置されているため、ＬＥＤＬ１〜Ｌ３も正三角形状に配置されている。
【００２４】
本実施形態では、図５Ｂに示すように、ドットは正三角形の頂点に配置されている。したがって、領域３２Ａ１と領域３２Ａ２とが接する境界線３２Ｂ１を中心として領域３２Ａ１と領域３２Ａ２に配置されるドットは線対称の関係にある。このため、境界線３２Ｂ１上に配置されるドットの密度は、領域３２Ａ１と領域３２Ａ２に配置されているドットの密度と同様である。
【００２５】
また境界線３２Ｂ２を中心として領域３２Ａ２と領域３２Ａ３とは線対称の関係にあり、境界線３２Ｂ２上に配置されるドットの密度は、領域３２Ａ２と領域３２Ａ３に配置されているドットの密度と同様である。さらに境界線３２Ｂ３を中心として領域３２Ａ３と領域３２Ａ１とは線対称の関係にあり、境界線３２Ｂ２上に配置されるドットの密度は、領域３２Ａ３と領域３２Ａ１に配置されているドットの密度と同様である。
【００２６】
図６Ａは、明るい環境下での文字板ユニットＤＵでの数字の見え方の説明図である。上述したように明るい環境下ではＬＥＤＬ１〜Ｌ３は消灯している。周辺部３２は、光拡散処理が施され、具体的には、図５Ａに示したドット印刷パターンに従って複数のドットが印刷されている。周辺部３２のドットの色は白である。周辺部３２に囲まれている表記部３４には、ドットは印刷されておらず光拡散処理は施されていない。また、表記部３４は数字を象っている。
【００２７】
導光板３よりも正面側に配置された光透過板７の正面または背面あるいはフィルム５の正面側に、有色表記部７４が黒でベタ印刷されている。有色表記部７４と表記部３４とは同じ数字を表記している。光透過板７は光透過性を有しているが有色表記部７４では光は透過しない。有色表記部７４は、表記部３４内に位置して重なり、表記部３４よりも細字であり、表記部３４からはみ出していない。従って、表記部３４は有色表記部７４の周囲を縁取りしているように見える。従って、明るい環境下では有色表記部７４の線の太さが数字の線の太さとして視認される。また、導光板３の背面側に配置されたシート１も白である。このため、周辺部３２のドットとシート１とは同色であるため、明るい環境下ではドットを目立たなくすることができる。
【００２８】
図６Ｂは、暗い環境下での文字板ユニットＤＵでの数字の見え方の説明図である。暗い環境下ではＬＥＤＬ１〜Ｌ３は点灯する。ＬＥＤＬ１〜Ｌ３が点灯すると光拡散処理が施された周辺部３２は発光するが、光拡散処理が施されていない表記部３４、有色表記部７４は発光しない。このため、暗い環境下では、表記部３４、有色表記部７４を合わせた太さの数字が視認される。このため、図６Ａ、６Ｂに示すように、明るい環境下よりも暗い環境下での方が数字の線は太く見える。このように、明るい環境下よりも暗い環境下で数字を強調することができる。これにより暗い環境下での数字の視認性が向上している。また、明るい環境下と暗い環境下とで数字の見え方が異なっている。
【００２９】
尚、有色表記部７４の色は、明るい環境下では視認できる、有色であればよい。また、本実施形態は光透過板７およびフィルム５を備えなくてもよい。その場合は、光透過板７に有色表記部７４を印刷する代わりに、シート１の正面又は導光板３の背面に有色表記部を印刷してもよい。
【００３０】
周辺部３２に印刷されたドットの色は光を反射できる色であれば、どのような色であってもよい。
【００３１】
次に、変形例の文字板ユニットについて説明する。尚、以下の変形例では、類似する構成については類似する符号を付することにより重複する説明を省略する。図７Ａ、７Ｂは、それぞれ明るい環境下と暗い環境下での第１変形例の文字板ユニットＤＵａでの数字の見え方の説明図である。表記部３４ａは、導光板３ａの背面に白でベタ印刷されているベタ印刷処理が施されている。有色表記部７４ａは光透過板７ａの正面または背面、あるいはフィルム５の正面に黒でベタ印刷されている。有色表記部７４ａは、上述した有色表記部７４よりも字の太さが太い。有色表記部７４ａは、表記部３４ａ内に位置して重なり、表記部３４ａよりも細字であり、表記部３４ａからはみ出してない。
【００３２】
光透過板７ａは導光板３ａよりも正面側に配置されているので、有色表記部７４ａは白で印刷された表記部３４ａの一部を覆っている。即ち、白でベタ印刷された表記部３４ａ全体のうち、表記部３４ａの外縁と有色表記部７４ａの外縁との間の部分のみが露出している。
【００３３】
ＬＥＤＬ１〜Ｌ３が点灯すると、図７Ｂに示すように周辺部３２と共に表記部３４ａも発光する。上述したように表記部３４ａでは背面に白でベタ印刷され、ＬＥＤＬ１〜Ｌ３からの光が表記部３４ａでも反射するからである。また、周辺部３２のドットの色と表記部３４ａの色は同じ白である。このため、周辺部３２よりも表記部３４ａの方が反射する光量が多い。このように、表記部３４ａには、周辺部３２よりも強く光を反射する光反射処理が施されている。このため、暗い環境下では有色表記部７４ａ周囲を周辺部３２よりも強く発光させることができ、有色表記部７４ａが表記する数字を強調することができる。このように、明るい環境下よりも暗い環境下で数字を強調することができる。これにより暗い環境下での数字の視認性が向上している。また、明るい環境下と暗い環境下とで数字の見え方が異なっている。尚、理解を容易にするために図７Ｂでは表記部３４ａと周辺部３２との境界線を示しているが、実際には視認できない。
【００３４】
また、表記部３４ａの全てが白でベタ印刷されている必要はなく、有色表記部７４ａで覆われていない部分のみを白でベタ印刷してもよい。
【００３５】
表記部３４ａにベタ印刷された色と周辺部３２のドットの色は白であるが、これに限定されない。例えば、表記部３４ａにベタ印刷された色は、周辺部３２のドットと同系色であってもよいし、周辺部３２のドットよりも反射率が高い色であってもよい。何れの場合にも、周辺部３２よりも表記部３４ａの方が強く光を反射できるからである。
【００３６】
図７Ｃ、７Ｄは、それぞれ明るい環境下と暗い環境下での第２変形例の文字板ユニットＤＵａ´での英字の見え方の説明図である。導光板３ａ´の表記部３４ａ´、光透過板７ａ´の有色表記部７４ａ´は英字を表している。このような場合も、有色表記部７４ａ´周囲の表記部３４ａ´を周辺部３２よりも強く発光させることができ、英字を強調できる。これにより、暗い環境下で英字の視認性が向上している。尚、文字板ユニットＤＵ、ＤＵａ、ＤＵａ´は、シートを備えていなくてもよい。
【００３７】
図８Ａ、８Ｂは、それぞれ明るい環境下と暗い環境下での第３変形例の文字板ユニットＤＵｂでの数字の見え方の説明図である。導光板３ｂの周辺部３２ｂにはドットも色も印刷されておらず、表記部３４ｂにはドットが印刷されている。このように周辺部３２ｂには光拡散処理は施されておらず表記部３４ｂに光拡散処理を施されている。これにより、暗い環境下では、周辺部３２ｂは発光せずに表記部３４ｂ自体を発光させることができ、暗い環境下での表記部３４ｂの視認性を確保されている。
【００３８】
また、導光板３ｂの背面側に配置されたシート１ｂと、表記部３４ｂのドットとは同色又は同系色である。これにより、明るい環境下では周辺部３２ｂと表記部３４ｂとは同色又は同系色に見える。従って、明るい環境下では表記部３４ｂが見えにくく文字板ユニットＤＵｂには表記部３４ｂが設けられていないように見える。これに対して、暗い環境下で表記部３４ｂを発光させて表記部３４ｂが表記する数字をユーザに視認させることができる。このように、明るい環境下と暗い環境下での文字板ユニットＤＵｂの見え方を変更することができる。
【００３９】
尚、表記部３４ｂに印刷されたドットについても、図５Ａに示したドットのパターンに従って印刷されている。従って、表記部３４ｂを均一に発光させることができる。また、導光板３ｂに設けられた複数の表記部についても均一に発光させることができる。
【００４０】
シート１ｂの色と表記部３４ｂのドットの色とを同色、同系色以外にしてもよい。この場合、明るい環境下では、シート１ｂの色と表記部３４ｂのドットの色との差により、表記部３４ｂの視認性が向上する。またこの場合も暗い環境下では表記部３４ｂのみが発光するので、暗い環境下での表記部３４ｂの視認性も確保できる。
【００４１】
図８Ｃ、８Ｄは、それぞれ明るい環境下と暗い環境下での第４変形例の文字板ユニットＤＵｂ´での図形の見え方の説明図である。表記部３４ｂ´は図形を表記している。この場合も、暗い環境下では導光板３ｂ´の周辺部３２ｂ´は発光せずに表記部３４ｂ´のみが発光する。
【００４２】
図９Ａ、９Ｂは、それぞれ明るい環境下と暗い環境下での第５変形例の文字板ユニットＤＵｂ´ａでの図形の見え方の説明図である。導光板３ｂ´ａの表記部３４ｂ´ａは、ドットが印刷された領域３４ｂ´１、白でベタ印刷された領域３４ｂ´２を含む。領域３４ｂ´１、３４ｂ´２は、それぞれドット印刷領域、ベタ印刷領域の一例である。表記部３４ｂ´ａに最も近いＬＥＤからの距離は、領域３４ｂ´２の方が領域３４ｂ´１よりも離れている。このため、領域３４ｂ´２に到達するＬＥＤからの光は、領域３４ｂ´１に到達する光よりも減衰している。しかしながら、領域３４ｂ´２では白でベタ印刷されており、到達した光を強く反射するので、表記部３４ｂ´ａを均一に発光させることができる。尚、領域３４ｂ´２にベタ印刷される色は、導光板３ｂ´ａに入射した光をある程度反射させて発光させることができれば白以外であってもよい。また、領域３４ｂ´２にベタ印刷される色は、ドットと同色、同系色、又はドットよりも反射率が高い色であってもよい。
【００４３】
図９Ｃ、９Ｄは、それぞれ明るい環境下と暗い環境下での第６変形例の文字板ユニットＤＵｂ´ｂでの図形の見え方の説明図である。導光板３ｂ´ｂの表記部３４ｂ´ｂは、ドットが印刷された領域３４ｂ´３、白でベタ印刷された領域３４ｂ´４を含む。領域３４ｂ´３、３４ｂ´４は、それぞれドット印刷領域、ベタ印刷領域の一例である。領域３４ｂ´４は、領域３４ｂ´３の周囲に印刷されている。暗い環境下では、領域３４ｂ´４の方が領域３４ｂ´３よりも光を強く反射する。即ち、発光する図形の縁が強く発光する。このため、明るい環境下よりも暗い環境下での方が、図形が大きく見え強調することができる。尚、領域３４ｂ´４にベタ印刷される色は、導光板３ｂ´ｂに入射した光をある程度反射させて発光させることができれば白以外であってもよい。また、領域３４ｂ´４にベタ印刷される色は、ドットと同色、同系色、又はドットよりも反射率が高い色であってもよい。尚、理解を容易にするために、図９Ｂでは領域３４ｂ´１、３４ｂ´２との境界線、図９Ｄでは領域３４ｂ´３、３４ｂ´４との境界線を示しているが、実際には視認できない。
【００４４】
図１０Ａ、１０Ｂは、それぞれ明るい環境下と暗い環境下での第７変形例の文字板ユニットＤＵｃでの数字の見え方の説明図である。導光板３ｃの周辺部３２ｃには複数のドットが印刷され、表記部３４ｃにはドットも色も印刷されていない。このように表記部３４ｃには光拡散処理は施されておらず周辺部３２ｃに光拡散処理を施されている。暗い環境下では、表記部３４ｃの周辺の周辺部３２ｃのみを発光させることができる。
【００４５】
また、導光板３ｃの背面側に配置されたシート１ｃと、周辺部３２ｃのドットとは同色又は同系色である。これにより、明るい環境下では、周辺部３２ｃと表記部３４ｃは同色又は同系色に見える。従って、明るい環境下では表記部３４ｃが見えにくく、文字板ユニットＤＵｂには表記部３４ｃが設けられていないように見える。これに対して、暗い環境下で周辺部３２ｃを発光させて表記部３４ｃが表記する数字をユーザに視認させることができる。このように文字板ユニットＤＵｃは、明るい環境下と暗い環境下で数字の見え方が異なっている。
【００４６】
尚、シート１ｃの色と周辺部３２ｃのドットの色とを同色、同系色以外にしてもよい。この場合、明るい環境下では、シート１ｃの色と周辺部３２ｃのドットの色との差により、表記部３４ｃの視認性が向上する。またこの場合も暗い環境下では周辺部３２ｃのみが発光するので、明るい環境下と暗い環境下とで数字の見え方は異なっている。
【００４７】
尚、周辺部３２ｃに印刷されたドットについても、図５Ａに示したドットのパターンに従って印刷されている。従って、周辺部３２ｃを均一に発光させることができる。
【００４８】
図１０Ｃ、１０Ｄは、それぞれ明るい環境下と暗い環境下での第８変形例の文字板ユニットＤＵｃ´での図形の見え方の説明図である。導光板３ｃ´の周辺部３２ｃ´には複数のドットが印刷され、表記部３４ｃ´にはドットも色も印刷されていない。文字板ユニットＤＵｃ´についても、明るい環境下と暗い環境下とで図形の見え方が異なっている。尚、文字板ユニットＤＵｂ、ＤＵｂ´、ＤＵｂ´ａ、ＤＵｂ´ｂ、ＤＵｃ、ＤＵｃ´は、光透過板は備えていなくてもよい。
【００４９】
図１１は、第９変形例の文字板ユニットＤＵｄの説明図である。導光板３ｄの中心部にある非処理部３６ｄには、色もドットも印刷されておらず光拡散処理は施されていない。また、非処理部３６ｄの周囲に位置するリング状の周辺部３２ｄにはドットが印刷され光拡散処理が施されている。導光板３ｄの表記部３４ｄには、色もドットも印刷されていないが、導光板３ｄの正面側に配置された光透過板７ｄには表記部３４ｄと重なるように有色表記部７４ｄが印刷されている。従って、明るい環境下では光透過板７ｄに印刷された有色表記部７４ｄを視認できる。
【００５０】
また、暗い環境下では、表記部３４ｄの周辺の周辺部３２ｄは発光するが非処理部３６ｄは発光しない。例えば、図１１に示していないが、暗い環境下では発光する指針を時計に採用する場合があり得る。例えば、夜光塗料を塗布した指針や、発光源を搭載した指針、又は導光部材で作成した指針に発光源からの光を入射させる構成等を採用することが考えられる。このような場合には、暗い環境下において、指針の背面側にある導光板３ｄの光量が大きすぎると、指針を視認しにくい場合があり得る。このため、本実施例の文字板ユニットＤＵｄでは、少なくとも指針の移動軌跡に重なる非処理部３６ｄに光拡散処理は施されていない。これにより、暗い環境下での指針の視認性を向上させることができる。
【００５１】
尚、光透過板７ｄの周辺部３２ｄに印刷されたドットについても、図５Ａに示したドット印刷パターンに従って印刷されている。このため、周辺部３２ｄについても均一に発光させることができる。尚、文字板ユニットＤＵｄは、シートやフィルムは設けられてなくてもよい。
【００５２】
尚、上述した導光板３、３ａ、３ａ´、３ｃ、３ｃ´にも、少なくとも指針の移動軌跡と重なるように非処理部を設けてもよい。
【００５３】
以上本発明の好ましい実施形態について詳述したが、本発明は係る特定の実施形態に限定されるものではなく、特許請求の範囲に記載された本発明の要旨の範囲内において、変形・変更が可能である。
【００５４】
光拡散処理はドット印刷処理に限定されない。例えば、ドット印刷処理の代わりに、導光板の背面に複数の微細な凹凸部を形成する凹凸加工処理を施してもよい。この場合、凹凸部による粗さは、発光源から離れるほど大きく形成する。また、図５Ａに示したドット印刷パターンに対応するように、境界線３２Ｂ１〜３２Ｂ３での凹凸部の粗さは、領域３２Ａ１〜３２Ａ３での凹凸部の粗さよりも大きく形成する。これにより、凹凸加工処理を施した場合でも導光板を均一の光量で発光させることができる。凹凸加工処理は、例えばシボ加工やディンプル加工である。
【００５５】
上実施例及び変形例では、表記部、有色表記部が表記する例として、数字、英字、図形を示したが、これに限定されず、文字、記号、目盛、又は絵を表記したものであってもよい。
【符号の説明】
【００５６】
Ａ  時計
ＤＵ、ＤＵａ、ＤＵａ´、ＤＵｂ、ＤＵｂ´、ＤＵｂ´ａ、ＤＵｂ´ｂ、ＤＵｃ、ＤＵｃ´、ＤＵｄ  文字板ユニット
ＨＨ  時針（指針）
ＭＨ  分針（指針）
ＳＨ  秒針（指針）
ＯＳ  光センサ
Ｃ  制御部
Ｌ１〜Ｌ３  ＬＥＤ（発光源）
１、１ａ、１ｂ、１ｃ  シート
３、３ｂ、３ｂ´、３ｂ´ａ、３ｂ´ｂ、３ｃ、３ｄ  導光板
５  フィルム
７、７ａ、７ｄ  透過板
３２、３２ｂ、３２ｂ´、３２ｃ、３２ｃ´  周辺部
３４、３４ａ、３４ａ´、３４ｂ、３４ｂ´、３４ｂ´ａ、３４ｂ´ｂ、３４ｃ、３４ｃ´、３４ｄ  表記部
３６ｄ  非処理領域
７４、７４ａ、７４ａ´、７４ｄ  有色表記部
３２Ａ１〜３２Ａ３  領域（第１〜第３扇状領域）
３２Ｂ１〜３２Ｂ３  領域（第１〜第３直線状領域）
３４ｂ´１、３４ｂ´３  領域（ドット印刷領域）
３４ｂ´２、３４ｂ´４  領域（ベタ印刷領域）
【図１】
2015152368.tif 000003
【図２】
2015152368.tif 000004
【図３】
2015152368.tif 000005
【図４】
2015152368.tif 000006
【図５】
2015152368.tif 000007
【図６】
2015152368.tif 000008
【図７】
2015152368.tif 000009
【図８】
2015152368.tif 000010
【図９】
2015152368.tif 000011
【図１０】
2015152368.tif 000012
【図１１】
2015152368.tif 000013